(57)【要約】      （修正有）【課題】広い温度範囲で可溶化状態が保持された液体芳香剤の提供。【解決手段】式（１）で示される化合物（Ａ）、ヒドロキシエチルアルキルアミド誘導体（Ｂ）、アニオン性界面活性剤（Ｃ）、非水溶性油類（Ｄ）及び水を含有する液体芳香剤で、非水溶性油類（Ｄ）が、芳香族環構造を有する高分子香料（Ｄ１）を含み、２５℃における動的光散乱法（ＤＬＳ）での平均粒子径が特定の条件を満たす、液体芳香剤。液体芳香剤に対する前記非水溶性油類（Ｄ）の重量割合が０．１〜５重量％であり、化合物（Ａ）、アミド誘導体（Ｂ）及びアニオン性界面活性剤（Ｃ）の合計の重量割合が非水溶性油類（Ｄ）に対して５０〜１０００重量％であると好ましい液体芳香剤。2018093952.tif 000013【選択図】なし【特許請求の範囲】
【請求項１】
下記一般式（１）で示される化合物（Ａ）、下記一般式（２）で示される化合物（Ｂ）、アニオン性界面活性剤（Ｃ）、非水溶性油類（Ｄ）及び水を含有する液体芳香剤であって、
前記非水溶性油類（Ｄ）が、芳香族環構造を有する高分子香料（Ｄ１）を含み、２５℃における動的光散乱法（ＤＬＳ）での平均粒子径が下記条件１を満たす、液体芳香剤。
【化１】
2018093952.tif 000009
（一般式（１）中、ｎは１．０〜３．０の数、ｎ個のＲ１はそれぞれ独立にメチレン基、エチレン基又はエチリデン基を示す。ＡＯは炭素数２〜４のオキシアルキレン基を示す。ｍはオキシアルキレン基の平均付加モル数を示し、１〜６０の数を表す。）
【化２】
2018093952.tif 000010
（式中、Ｒ２は炭素数７〜２３の飽和又は不飽和炭化水素基であり、Ｒ３は水素原子、メチル基、エチル基、ヒドロキシメチル基及びヒドロキシエチル基から選ばれるいずれか１種を示す。）
条件１：ｄ５０≦１００ｎｍ
【請求項２】
液体芳香剤に対する前記非水溶性油類（Ｄ）の重量割合が０．１〜５重量％であり、
前記化合物（Ａ）、前記化合物（Ｂ）及びアニオン性界面活性剤（Ｃ）の合計の重量割合が前記非水溶性油類（Ｄ）に対して５０〜１０００重量％である、請求項１に記載の液体芳香剤。
【請求項３】
前記高分子香料（Ｄ１）が、ガラクソリドを必須に含み、前記非水溶性油類（Ｄ）に対するガラクソリドの重量割合が０．１〜５０重量％である、請求項１又は２に記載の液体芳香剤。
【請求項４】
下記一般式（１）で示される化合物（Ａ）、下記一般式（２）で示される化合物（Ｂ）及びアニオン性界面活性剤（Ｃ）を含有する、液体芳香剤用香料可溶化剤。
【化１】
2018093952.tif 000011
（一般式（１）中、ｎは１．０〜３．０の数、ｎ個のＲ１はそれぞれ独立にメチレン基、エチレン基又はエチリデン基を示す。ＡＯは炭素数２〜４のオキシアルキレン基を示す。ｍはオキシアルキレン基の平均付加モル数を示し、１〜６０の数を表す。）
【化２】
2018093952.tif 000012
（式中、Ｒ２は炭素数７〜２３の飽和又は不飽和炭化水素基であり、Ｒ３は水素原子、メチル基、エチル基、ヒドロキシメチル基及びヒドロキシエチル基から選ばれるいずれか１種を示す。）
【請求項５】
可溶化剤に対して、前記化合物（Ａ）が３０〜７０重量％、前記化合物（Ｂ）が１０〜５０重量％、前記アニオン性界面活性剤（Ｃ）が５〜５０重量％である、請求項４に記載の液体芳香剤用香料可溶化剤。
【請求項６】
ガラクソリドを必須に含む香料に対して用いられる液体芳香剤用香料可溶化剤であって、請求項４又は５に記載の液体芳香剤用香料可溶化剤。
【発明の詳細な説明】
【技術分野】
【０００１】
本発明は、液体芳香剤に関する。
【背景技術】
【０００２】
本発明は非水溶性油類を水へ可溶化させた液体芳香剤に関する。液体芳香剤は、例示するならば、居間や寝室などの居室やトイレ、風呂場、玄関などに代表される住居や自動車などに用いられる。
【０００３】
液体芳香剤は家庭や乗り物などで使用される。一般に液体芳香剤を使用される環境は温度が常に変化し、冬季には摂氏零下に、夏季には６０℃といった状況も稀ではない。故に幅広い温度領域で一定の外観を保つことが見た目の美しさ、清潔感、清涼感の為に透明な液体芳香剤には求められる。そして、液体芳香剤を透明にするために、可溶化剤が用いられている。
【０００４】
従来、液体芳香剤や化粧品等において香料の分離を防止するための可溶化剤としては、多くのものが提案されている。例えば、分枝アルキル基又はアルケニル基を有する高級アルコールのアルキレンオキサイド付加物（特許文献−１）、フェノール類のエチレンオキサイド又はプロピレンオキサイド付加物（特許文献−２）、脂肪族アルコールのアルキレンオキサイド付加物及びトリグリセリドのエチレンオキサイド付加物の配合物（特許文献−３）、アルキルフェノールのエチレンオキサイド付加物と硬化ヒマシ油のエチレンオキサイド付加物（特許文献−４）等が知られている。
【先行技術文献】
【特許文献】
【０００５】
【特許文献１】特開昭５４−１３２４９１号公報
【特許文献２】特開昭５７−７０１９７号公報
【特許文献３】特表２００３−５３４４３１号公報
【特許文献４】特開平９−３０１８４４号公報
【発明の概要】
【発明が解決しようとする課題】
【０００６】
しかしながらこれまでに提案された可溶化剤は、香料との配合直後は透明に可溶化できていても、常用の広い温度範囲で長期間保存すると白濁化する、或いは冬季に凍結した後室温に戻して融解させても濁りがなくならないという問題が発生することがあった。
本発明者らは、係る問題発生の原因を調査した結果、液体芳香剤に使用される香料が、従来の液体芳香剤と比較して複雑で重厚感のある香調とするために、芳香族環構造を有する高分子香料であり、該高分子香料が可溶化させることが従来の可溶化剤では可溶化が困難であることに起因することを見出した。
そこで、本発明の目的は、広い温度範囲で可溶化状態が保持された液体芳香剤を提供することである。
また、本発明の別の目的は、広い温度範囲で可溶化状態を保持することができる液体芳香剤用可溶化剤を提供することにある。
【課題を解決するための手段】
【０００７】
本発明者らは、鋭意検討した結果、特定の化合物（Ａ）〜（Ｄ）を含み、動的光散乱法（ＤＬＳ）での平均粒子径が特定の範囲にある液体芳香剤であれば、上記課題を解決することができることを見出した。
すなわち、本発明の液体芳香剤は、下記一般式（１）で示される化合物（Ａ）、下記一般式（２）で示される化合物（Ｂ）、アニオン性界面活性剤（Ｃ）、非水溶性油類（Ｄ）及び水を含有する液体芳香剤であって、前記非水溶性油類（Ｄ）が、芳香族環構造を有する高分子香料（Ｄ１）を含み、２５℃における動的光散乱法（ＤＬＳ）での平均粒子径が下記条件１を満たす。
【化１】
2018093952.tif 000002
（一般式（１）中、ｎは１．０〜３．０の数、ｎ個のＲ１はそれぞれ独立にメチレン基、エチレン基又はエチリデン基を示す。ＡＯは炭素数２〜４のオキシアルキレン基を示す。ｍはオキシアルキレン基の平均付加モル数を示し、１〜６０の数を表す。）
【化２】
2018093952.tif 000003
（式中、Ｒ２は炭素数７〜２３の飽和又は不飽和炭化水素基であり、Ｒ３は水素原子、メチル基、エチル基、ヒドロキシメチル基及びヒドロキシエチル基から選ばれるいずれか１種を示す。）
条件１：ｄ５０≦１００ｎｍ
【０００８】
液体芳香剤に対する前記非水溶性油類（Ｄ）の重量割合が０．１〜５重量％であり、
前記化合物（Ａ）、前記化合物（Ｂ）及びアニオン性界面活性剤（Ｃ）の合計の重量割合が前記非水溶性油類（Ｄ）に対して５０〜１０００重量％であると好ましい。
前記高分子香料（Ｄ１）が、ガラクソリドを必須に含み、前記非水溶性油類（Ｄ）に対するガラクソリドの重量割合が０．１〜５０重量％であると好ましい。
【０００９】
本発明の液体芳香剤用香料可溶化剤は、下記一般式（１）で示される化合物（Ａ）、下記一般式（２）で示される化合物（Ｂ）及びアニオン性界面活性剤（Ｃ）を含有する。
【化１】
2018093952.tif 000004
（一般式（１）中、ｎは１．０〜３．０の数、ｎ個のＲ１はそれぞれ独立にメチレン基、エチレン基又はエチリデン基を示す。ＡＯは炭素数２〜４のオキシアルキレン基を示す。ｍはオキシアルキレン基の平均付加モル数を示し、１〜６０の数を表す。）
【化２】
2018093952.tif 000005
（式中、Ｒ２は炭素数７〜２３の飽和又は不飽和炭化水素基であり、Ｒ３は水素原子、メチル基、エチル基、ヒドロキシメチル基及びヒドロキシエチル基から選ばれるいずれか１種を示す。）
【００１０】
可溶化剤に対して、前記化合物（Ａ）が３０〜７０重量％、前記化合物（Ｂ）が１０〜５０重量％、前記アニオン性界面活性剤（Ｃ）が５〜５０重量％であると好ましい。
ガラクソリドを必須に含む香料に対して用いられると好ましい。
【発明の効果】
【００１１】
本発明の液体芳香剤は、広い温度範囲で長期間透明な外観を呈する。また、本発明の液体芳香剤用可溶化剤は、広い温度範囲で可溶化状態を保持することができるので、当該可溶化剤を含む液体芳香剤は、広い温度範囲で長期間透明な外観を呈する。
【発明を実施するための形態】
【００１２】
本発明の液体芳香剤は、特定の成分を含有し、特定の粒子径の条件を満足するものである。以下、まず、各成分について説明する。
【００１３】
〔化合物（Ａ）〕
化合物（Ａ）は、上記一般式（１）で示される成分である。化合物（Ａ）は、可溶化剤として効果を発揮する成分である。可溶化剤として優れる理由は定かではないが、分子内に芳香環が多いために後述する芳香族環構造を有する高分子香料（Ｄ１）と相溶性が良好で、ポリオキシアルキレン基部分が水と相溶性が良好であるために、水と香料との界面活性剤としての機能を果たしているためと推定している。
上記一般式（１）中、ｎは平均値であって１．０〜３．０の数であり、広い温度範囲で可溶化する観点から、好ましくは２．０〜３．０である。
ｎ個のＲ１はそれぞれ独立にメチレン基、エチレン基又はエチリデン基を示す。広い温度範囲で可溶化する観点から、ｎ個のＲ１のすべてがエチリデン基である。
【００１４】
ＡＯは炭素数２〜４のオキシアルキレン基を示し、オキシエチレン基、１，２−オキシプロピレン基、１，３−オキシプロピレン基、１，２−オキシブチレン基、２，３−ブチレン基及び１，４−ブチレン基が挙げられ、広い温度範囲で可溶化する観点から、好ましくは、オキシエチレン基である。またＡＯは１種のオキシアルキレン基の単独使用又は２種以上のオキシアルキレン基の併用であってもよく、２種以上を併用する場合の付加形式はブロック状でもランダム状でもよい。
ｍはオキシアルキレン基の平均付加モル数を示す。ｍは１〜６０の数であり、広い温度範囲で可溶化する観点から、３〜５０が好ましく、５〜４０がより好ましく、１０〜３５がさらに好ましく、１５〜３０が特に好ましい。
【００１５】
〔化合物（Ｂ）〕
化合物（Ｂ）は、上記一般式（２）で示される化合物である。化合物（Ｂ）は上記化合物（Ａ）と後述するアニオン性界面活性剤（Ｃ）との併用で、可溶化剤として効果を発揮する成分である。
可溶化剤として優れる理由は定かではないが、分子内に有するアミド基が後述する芳香族環構造を有する高分子香料（Ｄ１）と相溶性が良好で、ヒドロキシエチル基部分が水と相溶性が良好であるために、水と香料との界面活性剤としての機能を果たしているためと推定している。
一般式（２）中、Ｒ２は直鎖状でも分岐状でもかまわない。好ましくは直鎖である。また、アルキル基は飽和でも不飽和でもよく、また単一であるか混合の炭化水素基であるかは問わない。広い温度範囲で可溶化する観点から、直鎖かつ飽和の炭化水素基が好ましい。
Ｒ２の炭素数は、７〜２３であり、広い温度範囲で可溶化する観点から、８〜２２が好ましく、９〜２０がより好ましく、１０〜１８がさらに好ましく、１２〜１６が特に好ましい。
Ｒ３は水素原子、メチル基、エチル基、ヒドロキシメチル基及びヒドロキシエチル基から選ばれるいずれか１種を示し、中でも、広い温度範囲で可溶化する観点から、ヒドロキシエチル基が好ましい。
【００１６】
〔アニオン性界面活性剤（Ｃ）〕
アニオン性界面活性剤（Ｃ）は、上記化合物（Ａ）及び上記化合物（Ｂ）と併用されることにより、温度安定性を発揮する成分である。
アニオン性界面活性剤（Ｃ）としては、アルキルベンゼンスルホン酸塩、α−オレフィンスルホン酸塩、アルキル硫酸エステル塩、ポリオキシエチレンアルキルエーテル硫酸エステル塩、アシルメチルタウリン酸塩、アラニネート塩、ジアルキルスルホコハク酸塩、ポリオキシエチレンアルキルエーテル酢酸塩などが例示される。ここで表される塩は、アルカリ金属塩及び／又はトリエタノールアミン塩を指す。また、アルキル基、アシル基は直鎖でも分岐でもよい。広い温度範囲で可溶化する観点から、特に好ましいのは分岐アルキルスルホコハク酸塩である。
【００１７】
〔非水溶性油類（Ｄ）〕
本発明の液体芳香剤は、非水溶性油類（Ｄ）を必須とし、非水溶性油類（Ｄ）は芳香性の役割を担っている。非水溶性油類（Ｄ）としては、植物抽出油、配合香料、精油、テルペン類などの香気成分、ミネラルオイル、脂肪族炭化水素油、芳香族炭化水素油、エステル油などが挙げられる。
【００１８】
植物抽出油としては、特に限定されないが、例えば、ラベンダーオイル、オレンジオイル、レモンオイル、薔薇抽出油、ライムオイル、ヒノキ抽出油、ハーブ抽出油などが挙げられる。
【００１９】
配合香料としては、芳香族環構造を有する高分子香料（Ｄ１）、ローズ、シトラス、レモン、コーヒー、アプリコット、フローラル、ピーチなど、種々の成分を人工的に配合することによりそれに似せた香気を与えたものなどが挙げられ、本発明の液体芳香剤は、芳香族環構造を有する高分子香料（Ｄ１）を必須に含有する。
【００２０】
精油としては、樟脳白油、ヒノキ精油、テレビン油、ユーカリ油、薄荷油などが例示される。
テルペン類香気成分としては、ｐ−メンタジエン、ｄ−リモネン、ｐ−メンタン、ピナン、ターピネオール、ジヒドロターピネオール、ジヒドロターピニルアセテート、ミルテナール、ミルテノール、ペリラアルデヒド、ローズオキサイド、ボルネオール、カンフル、カルベオール、カルボンオキサイド、カルビルアセテート、カリオフィレン、シネオール、シトロネラール、シトロネロール、サイメン、サイメン−８−オール、ジヒドロカルベオール、ジヒドロカルボン、ジヒドロカルビルアセテート、リモネンオキサイド、フラノイド、ピラノイド、ｐ−メンタン、メントール、メントン、メンチルアセテート、ミルテナール、ミルテノール、ミルテニルアセテート、ペリリルアルコール、ペリリルアセテート、ピネン、ピネンオキサイド、ゲラニオール、酢酸イソアミル、アニソール、アミルシンナミックアルデヒド、アンスラニル酸メチルなどが例示される。
【００２１】
ミネラルオイルとしては流動パラフィン、軽油、スピンドル油などが、脂肪族炭化水素油としてはヘキサン、ヘプタン、イソオクタン、オクタンなどが、芳香族炭化水素油としてはトルエン、キシレンなどが例示される。エステル油としては、パルミチン酸イソプロピル、ミリスチン酸イソプロピル、ラウリン酸オレイル、パルミチン酸オクチル、パルミチン酸−２−エチルヘキシル、パルミチン酸−２−エチルデシル、ミリスチン酸イソステアリル、ミリスチン酸イソセチル、ミリスチン酸イソトリデシル、ミリスチン酸オクチルドデシル、ミリスチン酸セチル、ミリスチン酸デシル、ミリスチン酸ブチル、ミリスチン酸ミリスチル、パルミチン酸セチル、オレイン酸デシル、オレイン酸オクチルドデシル、オレイン酸イソデシル、オレイン酸エチルなど、脂肪酸とアルコールから成るエステルなどが例示される。
【００２２】
芳香族環構造を有する高分子香料（Ｄ１）としては以下の例が挙げられる。ムスクキシレン、ムスクケトン、ムスクアンブレット、ムスクチベテン、モスケン、ファントリド、セレストリド、ベルサリド、トナリド、ガラクソリド、安息香酸イソアミル、安息香酸ゲラニル、安息香酸ベンジル、安息香酸フェニルエチル、フェニル酢酸メチル、フェニル酢酸エチル、フェニル酢酸イソブチル、フェニル酢酸イソアミル、桂皮酸ベンジル、桂皮酸シンナミル、サリチル酸ベンジル、サリチル酸フェニルエチル、インドール、スカトール、６−メチルキノリン、６−メチルテトラヒドロキノリン、７−メチルキノリン、６−イソプロピルキノリン、イソブチルキノリン、酢酸トリクロルメチルフェニルカルビニル等が挙げられるが、これらに限定されるものではない。これらの中でも、上記化合物（Ａ）、化合物（Ｂ）及びアニオン性界面活性剤（Ｃ）との相溶性に優れるために広い温度範囲で可溶化される観点から、モスケン、ファントリド、セレストリド、ベルサリド、トナリド、ガラクソリドが好ましく、ガラクソリドがさらに好ましい。
【００２３】
〔水〕
水は、液体芳香剤に必須の成分である。水としては、イオン交換水、蒸留水、超純水、工業用水、水道水等が挙げられる。
【００２４】
〔溶剤（Ｅ）〕
溶剤（Ｅ）は、非水溶性油類を界面活性剤により水へ、あるいは水を界面活性剤により
非水溶性油類中へ可溶化させる際、ゲル化を防止するとともに広い温度範囲で可溶化状態を保持する成分である。溶剤としては、３−メトキシブタノール、プロピレングリコール、ジプロピレングリコール、エタノール等が挙げられるが、中でも、３−メトキシブタノール、プロピレングリコールが好ましく、３−メトキシブタノール及びプロピレングリコールを含む場合が最も好ましい。
【００２５】
〔液体芳香剤〕
本発明の液体芳香剤は、動的光散乱法（ＤＬＳ）での粒子径が下記条件１を満たす。なお、動的光散乱法（ＤＬＳ）の測定条件は実施例に記載する。
条件１は、ｄ５０≦１００ｎｍであり、ｄ５０≦５０ｎｍがより好ましく、ｄ５０≦２０ｎｍがさらに好ましく、ｄ５０≦１０ｎｍが特に好ましい。１００ｎｍ超の場合、目視で濁りが確認され可溶化状態が保持されていない。
条件１において、好ましい下限値は０．５ｎｍである。
【００２６】
本発明の液体芳香剤に占める化合物（Ａ）の重量割合は、広い温度範囲で可溶化する観点から、０．５〜２０重量％が好ましく、１〜１０重量％がより好ましく、２〜６重量％がさらに好ましい。
本発明の液体芳香剤に占める化合物（Ｂ）の重量割合は、広い温度範囲で可溶化する観点から、０．１〜１０重量％が好ましく、０．２〜５．０重量％がより好ましく、０．３〜３．０重量％がさらに好ましい。
本発明の液体芳香剤に占めるアニオン性界面活性剤（Ｃ）の重量割合は、広い温度範囲で可溶化する観点から、１〜１０重量％が好ましく、０．５〜５重量％がより好ましく、０．５〜２．５重量％がさらに好ましい。
本発明の液体芳香剤に占める芳香族環を有する高分子香料（Ｄ１）の重量割合は、広い温度範囲で可溶化する観点から、０．１〜５重量％が好ましく、０．２〜４重量％がより好ましく、０．３〜３重量％がさらに好ましい。
【００２７】
化合物（Ａ）に対する化合物（Ｂ）の重量割合の比率（Ｂ／Ａ）は、広い温度範囲で可溶化する観点から、０．１〜１．０が好ましく、０．３〜０．７がより好ましく、０．４〜０．６がさらに好ましい。
【００２８】
非水溶性油類（Ｄ）１００重量部に対する、前記化合物（Ａ）、前記化合物（Ｂ）及び前記アニオン性界面活性剤（Ｃ）の合計の重量割合は、５０〜１０００重量部が好ましく、６０〜８００重量部がより好ましく、８０〜７００重量部がさらに好ましく、１００〜５００重量部が特に好ましい。
【００２９】
前記非水溶性油類（Ｄ）にガラクソリドが含まれる場合、広い温度範囲で可溶化する観点から、前記非水溶性油類（Ｄ）に対するガラクソリドの重量割合は、０．１〜１００重量％であると好ましく、０．５〜７５重量％であるとより好ましく、１〜５０重量％であるとさらに好ましい。
【００３０】
（その他成分）
本発明の液体芳香剤は、その他成分として、防腐剤、抗菌剤、忌避剤、天然物等のエキス、分散剤、色素、酸化防止剤、減粘剤、紫外線吸収剤、ｐＨ調整剤等の添加剤を含有してもよい。
【００３１】
〔液体芳香剤の製造方法〕
液体芳香剤の製造方法としては、従来公知の方法が挙げられる。液体芳香剤は、例えば、非水溶性油類（Ｄ）に必要に応じて溶剤（Ｅ）を添加し、化合物（Ａ）、化合物（Ｂ）及びアニオン性界面活性剤（Ｃ）を配合し、これに水を加えることで調製される。
【００３２】
〔液体芳香剤用香料可溶化剤〕
本発明の液体芳香剤用香料可溶化剤は、化合物（Ａ）、化合物（Ｂ）及びアニオン性界面活性剤（Ｃ）を必須に含有し、化合物（Ａ）、化合物（Ｂ）及びアニオン性界面活性剤（Ｃ）としては、上記液体芳香剤で説明したものと同じものを援用できる。
【００３３】
液体芳香剤用香料可溶化剤に占める前記化合物（Ａ）の重量割合は、広い温度範囲で可溶化する観点から、３０〜７０重量％が好ましく、３５〜６５重量％がより好ましく、４０〜６０重量％がさらに好ましい。
液体芳香剤用香料可溶化剤に占める前記化合物（Ｂ）の重量割合は、広い温度範囲で可溶化する観点から、１０〜５０重量％が好ましく、１５〜４５重量％がより好ましく、２０〜４０重量％がさらに好ましい。
液体芳香剤用香料可溶化剤に占めるアニオン性界面活性剤（Ｃ）の重量割合は、広い温度範囲で可溶化する観点から、５〜５０重量％が好ましく、１０〜４５重量％がより好ましく、１５〜４０重量％がさらに好ましい。
【００３４】
本発明の液体芳香剤用香料可溶化剤は、ガラクソリドを必須に含む香料に対して用いられると、広い温度範囲で可溶化する観点から、好ましい。
【実施例】
【００３５】
以下に実施例、比較例を示す。本発明はこれら実施例に制限されるものではない。
【００３６】
〔動的光散乱法（ＤＬＳ）での粒子径測定方法〕
本発明における液体芳香剤の粒子径測定の詳細について以下に示す。測定機器には粒子径分布測定装置ＥＬＳＺ−１０００（大塚電子製）を用いた。測定試料は、室温に戻し充分に撹拌した液体芳香剤を０．４５μｍフィルターにて濾過したものを用いた。測定条件は、温度２５℃、散乱角６０°、繰り返し測定回数は７０とした。平均粒子径の算出はヒストグラム法解析を用い、体積換算で得られたｄ５０の値を用いた。
【００３７】
表１〜３に記載の各成分を配合し、ガラス製ビーカーに香料を量りとり、溶剤を添加してガラス棒でよく撹拌した。次に非イオン界面活性剤、アニオン界面活性剤の順に添加し、よく撹拌した。最後に水を少量ずつ撹拌しながら添加し液体芳香剤試料とした。
なお、表中のｂａｌａｎｃｅは、配合量における合計１００％の残りの数値を示す。
実施例に用いた成分を次に示す。なお、ＰＯＥは、ポリオキシエチレンを示し、ＰＯＥ（１８）は、平均付加モル数が１８であることを示す。
成分（Ａ）
Ａ−１  ＰＯＥ（１８）スチレン化フェニルエーテル
Ａ−２  ＰＯＥ（２４）スチレン化フェニルエーテル
成分（Ｂ）
Ｂ−１  ヤシ油脂肪酸ジエタノールアミド  一般式（２）のＲ２：炭素数７〜１７の飽和炭化水素、不飽和炭化水素の混合物  Ｒ３：ヒドロキシエチル基
Ｂ−２  ラウリン酸ジエタノールアミド    一般式（２）のＲ２：炭素数１１の飽和炭化水素  Ｒ３：ヒドロキシエチル基
Ｂ−３  オレイン酸ジエタノールアミド    一般式（２）のＲ２：炭素数１７の不飽和炭化水素  Ｒ３：ヒドロキシエチル基
Ｂ−４  ヤシ油脂肪酸Ｎ−メチルモノエタノールアミド    一般式（２）のＲ２：炭素数７〜１７の飽和炭化水素、不飽和炭化水素の混合物  Ｒ３：メチル基
成分（Ｃ）
Ｃ−１  ジオクチルスルホコハク酸Ｎａ
Ｃ−２  ＰＯＥ（７）アルキルエーテル硫酸Ｎａ
非水溶性油類（Ｄ）
Ｄ１−１  ガラクリソリド
Ｄ１−２  安息香酸ベンジル
Ｄ−３  フローラル系香料  
Ｄ−４  石鹸系香料        
Ｄ−５  柑橘系香料        
溶剤（Ｅ）
Ｅ−１  ３−メトキシブタノール
Ｅ−２  プロピレングリコール
その他成分
Ｘ−１  ＰＯＥ（９）セカンダリーアルキルエーテル
Ｘ−２  ＰＯＥ（１２）セカンダリーアルキルエーテル
Ｘ−３  ＰＯＥ（９）ノルマルデシルエーテル
Ｘ−４  ＰＯＥ（９）イソデシルエーテル
Ｘ−５  ＰＯＥ（４０）硬化ヒマシ油
Ｘ−６  ＰＯＥ（６０）硬化ヒマシ油
Ｘ−７  テトラグリセリンモノラウレート
Ｘ−８  ＰＯＥ（２０）ソルビタントリオレート
Ｘ−９  ＰＯＥ（５）ヤシ油脂肪酸モノエタノールアミド
Ｘ−１０  ＰＯＥ（５）ラウリルアミノエーテル
【００３８】
【表１】
2018093952.tif 000006
【００３９】
【表２】
2018093952.tif 000007
【００４０】
【表３】
2018093952.tif 000008
【００４１】
表１〜３から分かるとおり、実施例１〜１６までの液体芳香剤は、上記一般式（１）で示される化合物（Ａ）、上記一般式（２）で示される化合物（Ｂ）、アニオン性界面活性剤（Ｃ）、非水溶性油類（Ｄ）及び水を含有する液体芳香剤であって、前記非水溶性油類（Ｄ）が、芳香族環構造を有する高分子香料（Ｄ１）を含み、２５℃における動的光散乱法（ＤＬＳ）での平均粒子径が下記条件１を満たすので、本願の課題を解決できている。
一方、成分（Ｂ）がない場合（比較例１〜１０）には、本願の課題が解決できていない。
【００４２】
〔評価方法〕
広い温度範囲で可溶化状態が保持されているかどうかの評価を、−５℃、２５℃及び６０℃の各温度における外観の経時変化で確認した。具体的には、ガラス瓶で保管した試料を２５℃に戻し、目視で次の４段階で評価した。
◎・・・透明、等量の水と透明性に差がない
○・・・目視で概ね透明、等量の水と比較すると透明性に劣る
△・・・目視で明らかに濁りが確認できる
×・・・白濁、または沈殿が見られる
なお、本願でいう常用の広い温度範囲は、係る−５℃〜６０℃の温度範囲を意味する。